(57)【要約】      （修正有）【課題】夏の暑い時期には直射日光を遮光し、冬の寒い時期には直射日光を通過させ、採光を行なうことができるとともに、多数個のルーバーに照射される日光の熱を太陽熱温水器の集熱器で集熱することができる遮光ルーバーの機能と、太陽熱温水器としての機能を有する遮光ルーバーを提供する。【解決手段】建屋２の外壁面３に設置された窓５の前方に、夏の時期には高角度の直射日光を遮光し、冬の時期には低角度の直射日光を通過させることができるように設置した遮光ルーバー１を、建屋２に取付られた一対の支柱６に取付ける。この一対の支柱６に取付けられ所定間隔で配置された多数個のルーバー７と、多数個のルーバー７に一体形成され、あるいは多数個のルーバー７の熱を伝熱できるように取付けた、多数個のルーバー７に照射される日光の熱を集熱する太陽熱温水器８の集熱器９とで遮光ルーバー１を構成する。【選択図】図３
2013130000.tif 000002
【特許請求の範囲】
【請求項１】
建屋の外壁面に室内の採光が可能に設置された窓の前方に、夏の暑い時期には高角度となった直射日光を遮光し、冬の寒い時期には低角度となった直射日光を通過させることができるように設置された遮光ルーバーにおいて、該遮光ルーバーを所定間隔で配置された、前記建屋に取付けられた一対の支柱と、この一対の支柱に取付けら、かつ夏の暑い時期には直射日光を遮光し、冬の寒い時期には直射日光を通過できるように所定間隔で配置された多数個のルーバーと、この多数個のルーバーに一体形成され、あるいは多数個のルーバーの熱を伝熱できるように取付けられた、該多数個のルーバーに照射される日光の熱を集熱する太陽熱温水器の集熱器とで構成したことを特徴とする遮光ルーバー。
【請求項２】
多数個のルーバーは窓の上部位置に配置されるように一対の支柱に取付られるとともに、この一対の支柱に位置調整可能に取付けられる一対の可動支柱、この一対の可動支柱に両端部が取付けられた、夏の暑い時期には直射日光を遮光し、冬の寒い時期には直射日光が通過できるように所定間隔で配置された多数個の可動ルーバー、この多数個の可動ルーバーに取付けられた、該多数個の可動ルーバーに取付けられ、かつ固定ルーバーの集熱器と接続される集熱器とからなる窓の下部位置に配置されたり、前記多数個のルーバーの下部に、該ルーバーへの直射日光の照射条件を阻止しないように取付けられた可動遮光ルーバーを設けたことを特徴とする請求項１記載の遮光ルーバー。
【発明の詳細な説明】
【技術分野】
【０００１】
本発明は建屋の室内の採光が可能に設置された窓の遮光ルーバーに関する。
【背景技術】
【０００２】
従来、この種の遮光ルーバーは建物の開口上部に突設形成された庇部材に取付けられていた。  
このため、庇部材を大きく突出させなければ十分な遮光ルーバーとしての機能が得られないという欠点があるとともに、遮光ルーバーとしての機能が十分であっても、それだけの機能しか得られないという欠点があった。
【先行技術文献】
【特許文献】
【０００３】
【特許文献１】特開平５−２０２５９１号公報
【特許文献２】特開２００５−１３９６７６号公報
【発明の概要】
【発明が解決しようとする課題】
【０００４】
本発明は以上のような従来の欠点に鑑み、夏の暑い時期には直射日光を遮光し、冬の寒い時期には直射日光を通過させ、採光を行なうことができるとともに、多数個のルーバーに照射される日光の熱を太陽熱温水器の集熱器で集熱することができる遮光ルーバーの機能と、太陽熱温水器としての機能を有する遮光ルーバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は建屋の外壁面に室内の採光が可能に設置された窓の前方に、夏の暑い時期には高角度となった直射日光を遮光し、冬の寒い時期には低角度となった直射日光を通過させることができるように設置された遮光ルーバーにおいて、該遮光ルーバーを所定間隔で配置された、前記建屋に取付けられた一対の支柱と、この一対の支柱に取付けら、かつ夏の暑い時期には直射日光を遮光し、冬の寒い時期には直射日光を通過できるように所定間隔で配置された多数個のルーバーと、この多数個のルーバーに一体形成され、あるいは多数個のルーバーの熱を伝熱できるように取付けられた、該多数個のルーバーに照射される日光の熱を集熱する太陽熱温水器の集熱器とで遮光ルーバーを構成している。
【発明の効果】
【０００７】
以上の説明から明らかなように、本発明にあっては次に列挙する効果が得られる。
（１）請求項１により、多数個のルーバーによって、夏の暑い時期には直射日光を遮光して、室内へ直射日光が差し込まない日除け機能を有し、冬の寒い時期には直射日光を通過させて、室内へ直射日光を差し込ませて採光・採熱機能を有するとともに、多数個のルーバーに一体形成され、あるいは多数個のルーバーの熱を伝熱できるように取付けられた太陽熱温水器の集熱器に日光の熱を多数個のルーバーを介して集熱させることができる。  したがって、日除け機能、採光・採熱機能および太陽熱温水器の集熱機能を有し、便利に使用することができる。
（２）前記（１）により、多数個のルーバーに照射される直射日光の熱で太陽熱温水器の集熱器を熱しているので、多数個のルーバーに、従来のように反射させることができる材質や表面仕上げをしたものを用いる必要がなく、吸熱することができる、かつ反射することのない材質や表面仕上げをしたものを使用することができる。
したがって、多数個のルーバーに照射される直射日光の反射光による公害問題を効率よく解消することができる。
（３）前記（１）により、遮光するものと太陽熱温水器を別々に設置するものに比べ、設置作業が容易で、低コストで設置することができる。
（４）請求項２も前記（１）〜（３）と同様な効果が得られるとともに、窓の全体をルーバーで覆ったり、上部位置だけをルーバーで覆ったりするように一対の可動支柱を位置調整することができる。
したがって、使用者の好みに応じた状態で使用することができる。
【図面の簡単な説明】
【０００８】
【図１】本発明を実施するための第１の形態の側面図。
【図２】本発明を実施するための第１の形態の正面図。
【図３】図１の要部拡大図。
【図４】図２の４−４線に沿う拡大断面図。
【図５】本発明を実施するための第１の形態のルーバーの説明図。
【図６】本発明を実施するための第２の形態の側面図。
【図７】本発明を実施するための第２の形態の正面図。
【図８】図７の８−８線に沿う拡大断面図。
【図９】本発明を実施するための第３の形態の側面図。
【図１０】本発明を実施するための第３の形態の正面図。
【図１１】図１０の１１−１１線に沿う拡大断面図。
【図１２】本発明を実施するための第３の形態のルーバーの説明図。
【図１３】本発明を実施するための第３の形態の可動遮光ルーバーを収納した状態の説明図。
【発明を実施するための形態】
【０００９】
以下、図面に示す本発明を実施するための形態により、本発明を詳細に説明する。
【００１０】
図１ないし図５に示す本発明を実施するための第１の形態において、１は建屋２の外壁面３に室内４の採光が可能に設置された、窓５の前方に設置された本発明の遮光ルーバーで、この遮光ルーバー１は所定間隔、例えば前記窓５の幅寸法よりも大きい幅寸法で配置された前記建屋２の外壁面３に固定された一対の支柱６、６と、この一対の支柱６、６に両端部あるいは両端部寄りの部位が固定された、夏の暑い時期には直射日光を遮光し、冬の寒い時期には直射日光が通過できるように所定間隔で前記窓５の上部位置に位置するように固定された多数個のルーバー７と、この多数個のルーバー７に図５に示すように一体形成された、該多数個のルーバー７に照射された日光の熱を集熱する太陽熱温水器８の集熱ホース９ａを用いた集熱器９とで構成されている。
【００１１】
前記多数個のルーバー７は前記一対の支柱６、６より、両端部が突出する長さに形成された日光の熱を集熱することができる金属材や、表面を黒色に塗装した長方形状のパイプ材で形成されたものが使用され、前記一対の支柱６、６にビス１０止めされるほぼクランク状の支持金具１１、１１および、ほぼクランク状のカバー金具１２、１２とからなる取付金具１３、１３で固定状態で取付けられている。
【００１２】
前記太陽熱温水器８は前記多数個のルーバー７内に順次挿入された集熱ホース９ａを用いた集熱器９と、この集熱器９の一端部のパイプと接続されるとともに、他端部のパイプにポンプ１４を介して接続された貯湯タンク１５と、この貯湯タンク１５内の温水が一定量以下になると自動的に水道水等を供給して、あらかじめ設定された水量となるようにする水自動供給装置１６と、前記貯湯タンク１５内の温水を浴槽１７へ供給する、蛇口１８を備えた浴槽への温水供給ホース１９と、前記貯湯タンク１５内の温水を室内４の床面に敷設された温水ホース２０へポンプ２１を介して供給する床暖房装置２２とで構成されている。
【００１３】
上記構成の遮光ルーバー１は秋分までの暑い時期には図４に示すように、直射日光は多数個のルーバー７に当り、窓５への侵入を阻止し、遮光を図ることができる。
【００１４】
また、秋分からの冬の寒い時期には図４に示すように、直射日光は多数個のルーバー７、７間より窓５へ侵入し、室内の採光および採熱を行なうことができる。
【００１５】
さらに、いずれの時期でも多数個のルーバー７に照射される日光によって、該多数個のルーバー７に取付けられている太陽熱温水器８の集熱器９が加熱されるため、太陽熱温水器８としても十分に使用することができる。
【００１６】
[発明を実施するための異なる形態]
次に、図６ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図６ないし図８に示す本発明を実施するための第２の形態において、前記本発明を実施するための第１の形態と主に異なる点は、建屋２に形成されたバルコニー２３部分の窓５Ａの前方に複数対、本発明の実施の形態では４個の支柱６、６、６、６を用い、この４個の支柱６、６、６、６の上部位置に位置するように多数個のルーバー７Ａを固定した点で、このように構成した遮光ルーバー１Ａにしても、前記本発明を実施するための第１の形態と同様な作用効果が得られる。
【００１８】
図９ないし図１３に示す本発明を実施するための第３の形態において、前記本発明を実施するための第１の形態と主に異なる点は、日光の熱を集熱することができる金属材や、表面を黒色に塗装した長方形状で板状の多数個のルーバー７Ｂと、この多数個のルーバー７Ｂの底面に該ルーバー７Ｂの熱を効率よく伝熱できるように溶接あるいは接着固定された長方形状の集熱ホース９ｂとからなる集熱器９Ａを備えるとともに、一対の支柱６、６の下部寄りの部位の内壁面あるいは外壁面に位置調整可能にボルト２４、ナット２５で取付けられる一対の可動支柱２６、２６と、この一対の可動支柱２６、２６に前記一対の支柱６、６の内側部よりも内側に位置するように、両端部に所定間隔で配置された多数個の可動ルーバー２７と、この多数個の可動ルーバー２７に取付けられた前記ルーバー７Ｂに取付けられた集熱ホース９ｂと接続された遊びホース２８を介して接続される集熱器９Ａとからなる可動遮光ルーバー２９を取付けた点で、この可動遮光ルーバー２９によって窓５Ａの全面をルーバー７Ｂと可動ルーバー２９とで覆えるように配置することができるとともに、可動ルーバー２７が不要な場合には、図１３に示すようにルーバー７Ｂの下部に直射日光の遮光、通過をじゃましないように可動ルーバー２７を位置させて、使用することができる遮光ルーバー１Ｂにできる。
【００１９】
本発明の実施の形態では長方形状で板状のルーバー７Ｂや長方形状の集熱ホース９ｂを用いた集熱器９Ａを用いたが、ルーバー７Ｂや集熱ホース９ｂの形状はどんな形状であっても良く、また多数個の可動ルーバー２７に集熱器９Ａを設置しないものを用いても、窓５Ａの全面をルーバー７Ｂと可動ルーバー２９とで覆ったり、窓５Ａの上面をルーバー７Ｂで覆ったりする使い方ができる。
【００２０】
なお、前記本発明の各実施の形態では少なくとも一対の支柱６、６に多数個のルーバー７、７Ａ、７Ｂの両端部を固定するものについて説明したが、本発明はこれに限らず、多数個のルーバー７、７Ａ、７Ｂの両端部よりも内側の部位を少なくとも一対の支柱６、６に固定しても良く、また、現在遮光ルーバーとして使用されている少なくとも一対の支柱６、６に回動可能に多数個のルーバーを取付けたり、少なくとも一対の支柱６、６にスライド移動可能に多数個のルーバー取付けたもであってもよい。
【００２１】
さらに、前記本発明の各実施の形態では太陽熱温水器８として、水道水を用いるものについて説明したが、本発明はこれに限らず、不凍液を用いる太陽熱温水器を用いても同様な作用効果が得られる。
【００２２】
また、浴槽に供給する湯量以上の容量となる長さや径の集熱ホース９ａを用いた集熱器を用いることにより、貯湯タンクやポンプを使用しないで水道水に直接接続し、浴槽へ湯を供給することができるようにした太陽熱温水器を用いてもよい。
【産業上の利用可能性】
【００２３】
本発明は建屋の室内の採光が可能に設置された窓の遮光ルーバーを製造する産業で利用される。
【符号の説明】
【００２４】
１、１Ａ、１Ｂ：遮光ルーバー、  ２：建屋、
３：外壁面、        ４：室内、
５、５Ａ：窓、      ６：支柱、
７、７Ａ、７Ｂ：ルーバー、    ８：太陽熱温水器、
９、９Ａ：集熱器、      １０：ビス、
１１：支持金具、      １２：カバー金具、
１３：取付金具、      １４：ポンプ、
１５：貯湯タンク、      １６：水自動供給装置、
１７：浴槽、        １８：蛇口、
１９：温水供給ホース、    ２０：温水ホース、
２１：ポンプ、      ２２：床暖房装置、
２３：バルコニー、      ２４：ボルト、
２５：ナット、      ２６：可動支柱、
２７：可動ルーバー、      ２８：遊びホース、
２９：可動遮光ルーバー。
【図１】
2013130000.tif 000003
【図２】
2013130000.tif 000004
【図３】
2013130000.tif 000005
【図４】
2013130000.tif 000006
【図５】
2013130000.tif 000007
【図６】
2013130000.tif 000008
【図７】
2013130000.tif 000009
【図８】
2013130000.tif 000010
【図９】
2013130000.tif 000011
【図１０】
2013130000.tif 000012
【図１１】
2013130000.tif 000013
【図１２】
2013130000.tif 000014
【図１３】
2013130000.tif 000015